(57)【特許請求の範囲】
【請求項１】
布などのシート状物に係止される留め具であって、前記シート状物の一方のシート面側に配置される第１係止部材と、他方のシート面側に配置される第２係止部材とからなり、前記第１係止部材は、一端が閉鎖され他端が解放された外筒と、前記外筒内に挿入され、一端が閉鎖された内筒と、前記外筒の閉鎖端と前記内筒の閉鎖端との間に介装されるバネとから構成され、前記第２係止部材は、基板から突出した突出部が一体的に形成され、前記突出部はアームと係止突起とからなり、前記係止突起は水平方向の外側に突出して前記アームより幅広く形成され、前記外筒と前記内筒との側面にはそれぞれ開口部が穿設され、それぞれの前記開口部は前記第２係止部材の前記突出部を前記シート状物が覆った状態で出入りできる大きさに形成されていることを特徴とする留め具。
【発明の詳細な説明】
【技術分野】
【０００１】
本発明は、シート状となった布などを挟持することによって、その布などに係止される留め具に関する。
【背景技術】
【０００２】
従来、学童の名札は、安全ピンを使用してシャツや上着の表面に係止される。これは、子供服によってはポケットのないＴシャツなどがあり、ポケットがなくても留めることができるようにするためである。しかしながら、子供服は毎日着替えることが多く、名札はその都度付け替えることになる上、名札を留める位置は、自ずとほぼ決まっており、同じ位置に繰り返して安全ピンを刺していると、長い間にはその部分に穴が開いてくる。
【０００３】
この問題を解決するために、提案されたものとしては、雄側と雌側のホックにより服の生地をはさみ名札を固定するように設けられたもの（例えば、特許文献１参照。）がある。
【０００４】
また、近年、会社内における身分証明のために名札を首から下げたり、ポケットに取り付けたりする企業が増え、そのニーズに対応するべく、ポケットや前襟等に装着するためのさまざまなクリップを備えたもの（例えば、特許文献２および特許文献３参照。）が提案されている。
【０００５】
【特許文献１】特開２００４−４１６３６号公報
【特許文献２】特開２００４−１１７５０１号公報
【特許文献３】特開２００４−１７３８４６号公報
【発明の開示】
【発明が解決しようとする課題】
【０００６】
ところが、特許文献１に示された提案では、雌側のフックの可撓力が固定力のすべてを担っており、固定力を上げると着脱の際に力が必要になり、着脱がし難い上、雄側と雌側で強く生地を挟んだ状態のままとなるため、強すぎると生地を痛める結果となる。そのため、安全ピンと同様に繰り返して使っているうちに、生地に穴が開くことが懸念される。その反面、着脱しやすいように可撓力を弱くすると固定力が落ちて、外れやすくなる。
【０００７】
また、特許文献２や特許文献３のようなクリップを備えたものにおいては、所詮はポケット等がないと取り付けることができない。たとえ、ポケット等があって取り付けたとしても、ポケット等の布地を単純に挟んでいるだけなので、強い力で引っ張られると、簡単に取れてしまい、戯れ遊ぶ学童の服には向いていない。
【０００８】
そこで本発明は、この課題を解決するために、ポケットのない衣服などのように一枚の布地であっても留めることができ、しかも布地を傷めずに穴が開くことを防止できる上、簡単に外れることがない留め具を提供することを目的とする。
【課題を解決するための手段】
【０００９】  上記目的を達成するため本発明は、布などのシート状物に係止される留め具であって、前記シート状物の一方のシート面側に配置される第１係止部材と、他方のシート面側に配置される第２係止部材とからなり、前記第１係止部材は、一端が閉鎖され他端が解放された外筒と、前記外筒内に挿入され、一端が閉鎖された内筒と、前記外筒の閉鎖端と前記内筒の閉鎖端との間に介装されるバネとから構成され、前記第２係止部材は、基板から突出した突出部が一体的に形成され、前記突出部はアームと係止突起とからなり、前記係止突起は水平方向の外側に突出して前記アームより幅広く形成され、前記外筒と前記内筒との側面にはそれぞれ開口部が穿設され、それぞれの前記開口部は前記第２係止部材の前記突出部を前記シート状物が覆った状態で出入りできる大きさに形成されるようにした。【００１０】  これにより、第１係止部材を組み立てた後に、内筒を押し込むことによって、第１係止部材の開口部と第２係止部材の開口部が一致して、最大に開いた状態となり、ここにシート状物が第２係止部材の突出部を覆った状態で挿入され、シート状物と係止突起が内筒内に納まった時点で、バネの付勢力により内筒が押し出されると、第１係止部材の開口部と第２係止部材の開口部とでアームが挟まれた状態となり、それぞれの開口部の内側周縁が前後に重なり合って、アームは開口部から抜け出なくなる。
【発明の効果】
【００１５】  布などのシート状物に係止される留め具であって、シート状物の一方のシート面側に配置される第１係止部材と、他方のシート面側に配置される第２係止部材とからなり、第１係止部材は、一端が閉鎖され他端が解放された外筒と、外筒内に挿入され、一端が閉鎖された内筒と、外筒の閉鎖端と内筒の閉鎖端との間に介装されるバネとから構成され、第２係止部材は、基板から突出した突出部が一体的に形成され、突出部はアームと係止突起とからなり、係止突起は水平方向の外側に突出してアームより幅広く形成され、外筒と内筒との側面にはそれぞれ開口部が穿設され、それぞれの開口部は第２係止部材の突出部をシート状物が覆った状態で出入りできる大きさに形成されるようにしたことにより、第１係止部材を組み立てた後に、内筒を押し込むことによって、第１係止部材の開口部と第２係止部材の開口部が一致して、最大に開いた状態となり、ここにシート状物が第２係止部材の突出部を覆った状態で挿入され、シート状物と係止突起が内筒内に納まった時点で、バネの付勢力により内筒が押し出されると、第１係止部材の開口部と第２係止部材の開口部とでアームが挟まれた状態となり、それぞれの開口部の内側周縁が前後に重なり合って、アームは開口部から抜け出なくなる。
【発明を実施するための最良の形態】
【００１７】
本発明の実施の形態について添付した図面に基づき説明する。ここで図１は本発明に係る留め具の一実施形態を説明する分解斜視図、図２はこの留め具の動作を説明する斜視図、図３はこの留め具を布地に係止した状態を示す断面図、図４および図５は他の実施形態の留め具を示す斜視図である。
【００１８】
本発明に係る留め具は、布地を挟んで挟持するために、布地の表側と、裏側にそれぞれ位置して、お互いに組み合わさることによって係止されるように設けられている。たとえば表側が、開口部を有する角筒形状で、裏側がその開口部に嵌め込まれる突出部を有するものである。したがって、例えば、図１〜３に示した第１係止部材１と第２係止部材２とが布地１０を介して係合するように設ける。第１係止部材１は、一端が閉鎖端３２として閉鎖され、他端が解放端３３として解放される断面矩形状の外筒３と、その中に入るように設けられ且つ一端が閉鎖端５２として閉鎖され、他端が解放端５３として開放される内筒５と、外筒３と内筒５との間に介装されるバネ４とから構成される。
【００１９】
外筒３と内筒５とには、それぞれの側面にほぼ同じ大きさで横長の長方形の開口部３１、５１が穿設されている。それぞれの開口部３１、５１は、第２係止部材２の突出部２１を布地１０が覆った状態で、出入りできる大きさである。開口部５１の閉鎖端５２側には、開口部３１に僅かの厚さで嵌るように外側に突出した脱落防止爪５４が設けられている。
【００２０】
第１係止部材１を組み立てるに当っては、まず、外筒３の開放端３３からバネ４を挿入した後、同開放端３３から内筒５を閉鎖端５２を先頭にして挿入する。この際、脱落防止爪５４が開口部３１に嵌った時点で、内筒５は外筒３から脱落しなくなる。すなわち、脱落防止爪５４が開口部３１内を移動する範囲で、内筒５がスライドすることになる。
【００２１】
内筒５を押し込むと、閉鎖端５２がバネ４を押す。最大押し込んだ状態で、開口部３１と開口部５１はほぼ一致するように設けられている。バネ４は、その径が開口部３１の高さより大きいものを使用する。
【００２２】
第２係止部材２は、基板２２から水平方向に突出した突出部２１が一体的に形成されており、突出部２１はアーム２３と係止突起２４とからなり、係止突起２４は水平方向の外側に突出してアーム２３より幅広く形成されている。
【００２３】
次に、それぞれの動作について図２を参照して説明する。上記したように、第１係止部材１を組み立てた（図２（ａ））後に、外筒３の閉鎖端３２と内筒５の開放端５３とを摘むようにして持ち、内筒５を押し込むことによって、開口部３１と開口部５１が一致して、最大に開いた状態（図２（ｂ））となる。ここに第２係止部材２の突出部２１を挿入し、係止突起２４が内筒５内に納まった時点で、外筒３の閉鎖端３２と内筒５の開放端５３とを離すと、バネ４の付勢力により内筒５の閉鎖端５２が押し出され、開口部３１と開口部５１とでアーム２３が挟まれた状態となり、開口部３１、５１の内側周縁と、係止突起２４とが前後に重なり合って、アーム２３は開口部３１、５１から抜け出なくなる。
なお、この際、内筒５が押し込まれた位置からバネ４が復元して一番伸びきった状態（付勢力がなくなった状態）で、重なり合って開口する開口部３１、５１の開口幅がアーム２３の係止突起２４部分の横幅より小さく、またアーム２３自体の基端側の幅よりやや大きめになるようにしている。
【００２４】
この状態を、衣服などの布地１０を介在させた状態で説明すると、図３に示したように、布地１０は突出部２１を包み込んだ状態で、突出部２１と一緒に内筒５内に納まるので、第１係止部材１と第２係止部材２とが布地１０を挟持したような状態で布地１０に係止され、動かなくなる。
【００２５】
また、この状態で、無理やり第１係止部材１から第２係止部材２を引き離そうとする力（矢印Ｙ）がかかったとしても、バネ４の付勢力Ｘとは方向が異なる。引き離そうとする力に抗する力は第１係止部材１と第２係止部材２との構造的強度そのものであって、かなりの力に耐えうる。一方、バネの付勢力Ｘは過度に強くなくても良く、適当な付勢力Ｘを有するバネ４で十分である。またバネ４が伸びきった状態で、布地１０と、開口部３１、５１や係止突起２４との間に僅かに間隙が形成されるため、バネ４による無用なストレスを布地１０に与えるものではない。
【００２６】
この構造で特徴的なことは、第１係止部材１が伸縮することによって第２係止部材２と係合し、布地１０と、開口部３１、５１や係止突起２４との間に僅かな間隙をもった状態で係止されるのにも関わらず、簡単には外れないところにある。前記した特許文献１で示した先行技術のように、雌側のクリップで挟みこむのとは違い、無用なストレスが、布地１０にかからないため、布地１０をいためることが無く、繰り返し着脱しても、布地１０が破けることは無い。
【００２７】
また、布地１０に接する開口部３１の側面３１ｂや開口部５１の側面を縦方向または厚さ方向で、湾曲して形成することによって、布地１０への損傷をさらに防止することができる。
【００２８】
例えば、第１係止部材１の下部に名札Ｎ用のフック３５を一体的に形成し、これに名札Ｎを取り付けることによって、衣服を傷めることのない名札として学校や企業など多くの場での活用が期待される。また、名札だけでなく、衣類商品の正札を取り付けたり、二枚の布地を留め合わせたり、洗濯バサミとしてなど、留め具として多くの活用範囲が考えられる。
【００２９】
また、安全ピンのように針になった部分が無いことから、誤って人体に刺したりする危険が無いので、着用した状態での衣服への着脱でも安全である。
【００３６】
尚、本発明は以上のような実施形態に限定されるものではない。本発明の特許請求の範囲に記載した事項と実質的に同一の構成を有し、同一の作用効果を奏するものは本発明の技術的範囲に属する。
【産業上の利用可能性】
【００３７】
本発明の留め具に、名札を取り付けることによって、衣服を傷めることのない名札として学校や企業など多くの場での活用が期待される。また、名札だけでなく、衣類商品の正札を取り付けたり、二枚の布地を留め合わせたり、洗濯バサミとしてなど、留め具として多くの活用範囲が考えられる。
【図面の簡単な説明】
【００３８】
【図１】本発明に係る留め具の一実施形態を説明する分解斜視図
【図２】この留め具の動作を説明する斜視図
【図３】この留め具を布地に係止した状態を示す断面図
【図４】他の実施形態の留め具を示す斜視図
【図５】他の実施形態の留め具を示す斜視図
【符号の説明】
【００３９】
１…第１係止部材、２…第２係止部材、３…外筒、４・・・バネ、５・・・内筒、１０…布地、２１…突出部、２２…基板、２３…アーム、２４…係止突起、３１…開口部（係止部）、５１・・・開口部（係止部）。
【図１】
0004780280.tif 000002
【図２】
0004780280.tif 000003
【図３】
0004780280.tif 000004